(57)【要約】      （修正有）【課題】収納袋の手提げ部の取り付けを強固なものとしながら、運搬の利便性も向上させた収納袋を提供する。【解決手段】内部に収納空間Ｓを形成した袋本体１と、袋本体１を運搬する際に利用する運搬補助体２とを有する収納袋Ｂにおいて、運搬補助体２が、使用者が手提げをする際に利用する手提げ部２１と、手提げ部２１と連続し、袋本体１の底部１３に位置する支持部２２とを具備し、支持部２２が、収納空間Ｓに収納した収納物を支持する。【選択図】図１
0003162146.tif 000002
【実用新案登録請求の範囲】
【請求項１】
内部に収納空間を形成した袋本体と、当該袋本体を運搬する際に利用する運搬補助体とを有する収納袋において、
前記運搬補助体が、使用者が手提げをする際に利用する手提げ部と、
前記手提げ部と連続し、前記袋本体の底部に位置する支持部とを具備し、
前記支持部が、前記収納空間に収納した収納物を支持する構成としていることを特徴とする収納袋。
【請求項２】
前記袋本体の底部に空洞部を形成していることを特徴とする請求項１に記載の収納袋。
【請求項３】
前記手提げ部と前記支持部とが一体であることを特徴とする請求項１又は２のいずれかに記載の収納袋。
【請求項４】
前記手提げ部を、前記袋本体の底部と対向する位置に設けていることを特徴とする請求項１乃至３のいずれかに記載の収納袋。
【請求項５】
前記運搬補助体が、前記袋本体から着脱可能であることを特徴とする請求項１乃至４のいずれかに記載の収納袋。
【請求項６】
前記運搬補助体の支持部が、前記収納物を少なくとも２箇所以上の位置にて支持していることを特徴とする請求項１乃至５のいずれかに記載の収納袋。
【請求項７】
前記袋本体の底部が、新聞紙を四つ折りした寸法と略同様の寸法を有していることを特徴とする請求項１乃至６のいずれかに記載の収納袋。
【請求項８】
前記運搬補助体の一部を分離可能に構成していることを特徴とする請求項１乃至７のいずれかに記載の収納袋。
【請求項９】
前記運搬補助体を紐状部材にて構成していることを特徴とする請求項１乃至８のいずれかに記載の収納袋。
【請求項１０】
前記袋本体を折り畳み可能に構成していることを特徴とする請求項１乃至９のいずれかに記載の収納袋。
【請求項１１】
前記袋本体が紙製であることを特徴とする請求項１乃至１０のいずれかに記載の収納袋。
【考案の詳細な説明】
【技術分野】
【０００１】
本考案は、新聞紙などを収納する袋に関するものである。
【背景技術】
【０００２】
従来、読み終わった新聞紙などは、整理及び運搬の観点から紙袋などの収納袋に収納しておくことが多い。また、この紙袋は、運搬の利便性を向上させるために手提げ部をつけているものもある。新聞紙は、古紙回収等に出されるまで逐次この紙袋に収納され、ある程度の量が溜まると古紙回収に出される。
【先行技術文献】
【特許文献】
【０００３】
【特許文献１】実公平７−２３４０６公報
【考案の概要】
【考案が解決しようとする課題】
【０００４】
解決しようとする問題点は、当該紙袋の手提げ部にある。この手提げ部は、その端部を袋本体の上部に貼り付けて取り付けているものが多い。具体的には、逆Ｕ字形状の手提げ部を、袋本体の上部から突出する状態に取り付けている。
【０００５】
一方、当該紙袋に収納する新聞紙などの重量は１０ｋｇを超えることもある。その際には、手提げ部の端部を貼り付けるだけの取り付け方法では取り付けの強度不足となる。よって、この重量に耐え切れず、運搬の際に手提げ部が袋本体から外れてしまうことも多かった。また、手提げ部が外れないように収納袋の底部を持って運ばなければならないなど不便なものであった。更には、新聞紙の重量に耐え切れずに古紙回収の積み下ろし時などに荷崩れが生じていた。
【課題を解決するための手段】
【０００６】
本考案は、内部に収納空間を形成した袋本体と、当該袋本体を運搬する際に利用する運搬補助体とを有する収納袋において、前記運搬補助体が、使用者が手提げをする際に利用する手提げ部と、前記手提げ部と連続し前記袋本体の底部に位置する支持部とを具備し、前記支持部が、前記収納空間に収納した収納物を支持する構成としていることを最も主要な特徴とする。
【０００７】
これにより、使用者が手提げ部を用いて収納袋を持ち上げる力を利用して収納物を支持することが可能となり、運搬の利便性を向上させることができる。更には、手提げ部と支持部とを連続させておくことで、収納物の重量により手提げ部が袋本体から外れ難い構成とすることができる。よって、収納袋の手提げ部の取り付けを強固なものとしながら、運搬の利便性も向上させた収納袋を簡易な構成にて実現できる。
【０００８】
加えて、前記袋本体の底部に空洞部を形成することで、袋本体を製造するための材料を節約することが可能となり省資源化を図ることができる。更には、底部の構成を省くことで収納袋の製造を簡易化することも可能となる。
【０００９】
更に、前記手提げ部と前記支持部とを一体に構成することにより、簡易な構成にて前記手提げ部と前記支持部とを連続させて強固な構成とできる。
【００１０】
また、前記手提げ部を、前記袋本体の底部と対向する位置に設けることにより、手提げ部を引き上げる力を効率的に支持部に伝達することが可能となる。
【００１１】
更に、前記運搬補助体を前記袋本体から着脱可能とすることにより、廃棄などの際に分別することもできる。
【００１２】
また、収納物の支持を強固にするためには、前記運搬補助体の支持部にて前記収納物を少なくとも２箇所以上の位置にて支持することが望ましい。
【００１３】
加えて、前記袋本体の底部を、新聞紙を四つ折りした寸法と略同様の寸法とすることにより、簡易且つ好適に古紙を収納しておくことが可能となる。
【００１４】
更に、前記運搬補助体の一部を分離可能に構成することで、当該運搬補助体を前記収納物を結束する際に利用することができる。
【００１５】
また、前記運搬補助体を紐状部材にて簡易に構成することが考えられる。
【００１６】
加えて、前記袋本体を折り畳み可能に構成することで、不使用時には邪魔にならないように折り畳んで収納しておくことができる。
【００１７】
具体的には、前記袋本体を紙製とすることで、簡易且つ安価にて製作することが可能となる。
【考案の効果】
【００１８】
本考案の収納袋は、使用者が手提げ部を用いて収納袋を持ち上げる力を利用して収納物を支持することが可能となり、運搬の利便性を向上させることができる。更には、手提げ部と支持部とを連続させておくことで、収納物の重量により手提げ部が袋本体から外れ難い構成とすることができるという利点がある。
【図面の簡単な説明】
【００１９】
【図１】図１は収納袋の斜視図である。（実施形態１）
【図２】図２は収納袋に新聞紙を収納した状態を示す斜視図である。（実施形態１）
【図３】図３は収納袋の運搬補助体の一部を分離した状態を示す斜視図である。（実施形態１）
【図４】図４は収納袋に収納した新聞紙を結束した状態を示す斜視図である。（実施形態１）
【図５】図５は収納袋の展開図である。（実施形態１）
【図６】図６は収納袋の運搬補助体の一部を分離した状態を示す展開図である。（実施形態１）
【図７】図７は収納袋の底面図である。（実施形態１）
【図８】図８は収納袋に新聞紙を収納した状態を示す斜視図である。（実施形態２）
【図９】図９は収納袋の運搬補助体の一部を分離した状態を示す斜視図である。（実施形態２）
【図１０】図１０は収納袋に収納した新聞紙を結束した状態を示す斜視図である。（実施形態２）
【図１１】図１１は収納袋の運搬補助体の一部を分離した状態を示す展開図である。（実施形態２）
【考案を実施するための形態】
【００２０】
図１は、本考案の実施形態１の収納袋Ｂを示す斜視図である。
本実施形態の収納袋Ｂは、図１、図５に示すように、内部に収納空間Ｓを形成した袋本体１と、当該袋本体１を運搬する際に利用する運搬補助体２とを有する収納袋Ｂにおいて、前記運搬補助体２が、使用者が手提げをする際に利用する手提げ部２１と、前記手提げ部２１と連続し前記袋本体１の底部１３に位置する支持部２２とを具備し、前記支持部２２が、前記収納空間Ｓに収納した収納物である新聞紙を支持する構成としていることを特徴とする。
【００２１】
以下、各構成について詳述する。
【００２２】
袋本体１は、可撓性を有し折り畳み可能な紙製の袋部材であり、不使用時には当該袋本体１を折り畳んだ状態で収納可能に構成している。本実施形態の袋本体１は、上方および下方に開口した無底の筒形状を成しており、内方に収納空間Ｓを形成した側周部１１と、当該収納空間Ｓに新聞紙等の収納物を出し入れする出入部１２と、当該出入部１２と対向する位置に設けた底部１３とを具備する。本実施形態においては、袋本体１の高さ寸法を３６．５ｃｍとしている。
【００２３】
側周部１１は、図５、図６に示すように、対向する一対の前面要素１１ａと後面要素１１ｂ及び対向する一対の左側面要素１１ｃと右側面要素１１ｄと、糊代要素１１ｆとから成る筒形状部材である。前記前面要素１１ａ、後面要素１１ｂ、左右側面要素１１ｃ、１１ｄは、側端において連続しており、方形の一枚の紙を折り畳み糊代要素１１ｆにて糊付けることにより作成可能としている。
【００２４】
収納空間Ｓは、四つ折りした新聞紙を順に積み上げて収納可能な空間である。
【００２５】
出入部１２は、新聞紙を四つ折りした寸法と略同様の寸法を上向きに開口している。本実施形態においては、２１ｃｍ×３０ｃｍの方形に開口している。
【００２６】
底部１３は、図１、図７に示すように、前記出入部１２と同様の形状に開口し、当該袋本体１の底部１３に下向きに開口する空洞部１４を形成している。当該袋本体１の底部１３は、新聞紙を四つ折りした寸法と略同様の寸法を有している。本実例においては、底部１３の全てを空洞部１４としている。
【００２７】
運搬補助体２は、第一の紐状部材２Ａと第二の紐状部材２Ｂにて構成している。当該第一の紐状部材２Ａと第二の紐状部材２Ｂは、細い３本の紐を接着して強度を増している。
【００２８】
当該運搬補助体２は、使用者が手提げをする際に利用する手提げ部２１と、前記手提げ部２１と連続し、前記袋本体１の底部１３に位置する支持部２２とを具備し、前記支持部２２が、前記収納空間Ｓに収納した収納物を支持する。当該支持部２２と前記手提げ部２１とは連結部２３を介して連続しており運搬補助体１を一体に構成している。更に、当該運搬補助体２は、前記袋本体１の内面に止着部２４を介して前記袋本体１から着脱可能に取り付けている。
【００２９】
手提げ部２１は、使用者が握持可能に上向きに膨出する逆Ｕ字形状を成しており、前記袋本体１の上端部より突出している。当該手提げ部２１は、前記袋本体１の底部１３と対向する位置に設けている。本実施形態においては、２４ｃｍの幅を有している。
【００３０】
更に、前記運搬補助体２の構成要素である当該手提げ部２１の一部を分離可能とし、当該手提げ部２１を用いて前記収納物を結束することができる。具体的には、第一の紐状部材２Ａと第二の紐状部材２Ｂの端部を分離可能に重合して接合部２５にて接着している。そして、図３に示すように、第一の紐状部材２Ａと第二の紐状部材２Ｂとの接合部２５を分離し、図４に示すように、当該手提げ部２１を用いて前記収納物である新聞紙を結束することができる。
【００３１】
支持部２２は、前記第一の紐状部材２Ａと第二の紐状部材２Ｂにより前記手提げ部２１と当該支持部２２とを一体に構成している。本実施形態においては、図７に示すように、前記空洞部１４の短寸方向に２本の支持部２２を横架する状態としている。収納状態においては、当該支持部２２が前記収納物の底部を横断し、少なくとも２箇所以上の位置にて収納物を支持している。
【００３２】
連結部２３は、前記手提げ部２１と支持部２２とを連結しており、本実施形態においては、前記手提げ部２１と支持部２２と当該連結部２３とを一体に構成している。
【００３３】
止着部２４は、袋本体１と同様の紙製の止着要素２４ａを用いて、前記運搬補助体２を前記袋本体１の内側に取り付けている。具体的には、運搬補助体２の第一の紐状部材２Ａ及び第二の紐状部材２Ｂの一部を止着要素２４ａと袋本体１との間に挟んだ状態で貼り付けている。よって、当該止着要素２４ａを剥がすことにより容易に運搬補助体２を袋本体１から取り外すことができる。
【００３４】
接合部２５は、前記第一の紐状部材２Ａと第二の紐状部材２Ｂとの端部を１０ｃｍほど重ね合わせ、そのうちの一部である８ｃｍを糊付けにて接着している。当該接合部２５は、第一の紐状部材２Ａと第二の紐状部材２Ｂの端部を分離可能に重合して接合しており、前記運搬補助体の一部を分離可能とする分離部としての機能を果たす。
【００３５】
次に、本考案の収納袋Ｂの使用状態を図１乃至図４を参照して説明する。
【００３６】
使用者は、図２に示すように、順次、読み終わった新聞紙を四つ折りにして出入部１２から収納する。そして、持ち運び時には、手提げ部２１を持って運搬する。
【００３７】
読み終わった新聞紙が溜まり廃品回収などに出す際には、図３に示すように、運搬補助体２の一部、つまり、第一の紐状部材２Ａと第二の紐状部材２Ｂの接合部２５を分離し図４に示すように、対向する紐状部材２Ａ、２Ｂ同士を平行になる状態で結び、収納物である新聞紙を結束する。本実施形態においては、対向する紐状部材２Ａ，２Ｂは、前記袋本体１の上端より突出する長さが異なる。よって、図４に示すように、突出する長さが短寸の紐状部材の近傍、つまり、収納物の隅部近傍位置に結び目がくるように結束する。尚、収納している新聞紙の量に応じて止着部２４を剥がしてもよいし、そのままの状態としておいてもよい。具体的には、収納している新聞紙の量が少ない場合には、止着部２４を剥がして結束するための第一の紐状部材２Ａと第二の紐状部材２Ｂを延長してもよい。
【００３８】
以上のように、本実施形態１の収納袋Ｂは、内部に収納空間Ｓを形成した袋本体１と、当該袋本体１を運搬する際に利用する運搬補助体２とを有する収納袋Ｂにおいて、前記運搬補助体２が、使用者が握持して手提げをする際に利用する手提げ部２１と、前記手提げ部２１と連続し前記袋本体１の底部１３に位置する支持部２２とを具備し、前記支持部２２が、前記収納空間Ｓに収納した収納物を支持している。
【００３９】
これにより、使用者が手提げ部２１を用いて収納物を持ち引き上げる力を利用して収納物を支持することが可能となり、運搬の利便性を向上させることができる。更には、手提げ部２１と支持部２２とを連続させておくことで、収納物の重量により手提げ部２１が袋本体１から外れ難い構成とすることができる。よって、収納袋Ｂの手提げ部２１の取り付けを強固なものとしながら、運搬の利便性も向上させた収納袋Ｂを簡易な構成にて実現できる。
【００４０】
加えて、前記袋本体１の底部１３に空洞部１４を形成していることで、袋本体１の製造するための材料を節約することが可能となり省資源化を図ることができる。更には、本実施形態のように、底部１３の全てを空洞部１４とすることにより底部１３の構成を省くことで収納袋Ｂの製造を簡易化することも可能となる。
【００４１】
更に、前記手提げ部２１と前記支持部２２とを一体に構成していることにより、簡易な構成にて前記手提げ部２１と前記支持部２２とを強固な構成とできる。
【００４２】
また、前記手提げ部２１を、前記袋本体１の底部１３と対向する位置に設けていることにより、手提げ部２１を引き上げる力を効率的に支持部２２に伝達することが可能となる。
【００４３】
更に、前記運搬補助体２を前記袋本体１から着脱可能としていることにより、廃棄などの際に分別することもできる。
【００４４】
また、前記運搬補助体２の支持部２２にて前記収納物を２箇所の位置にて支持していることで、収納物の支持を強固にすることが可能となる。
【００４５】
加えて、前記袋本体１の底部１３を新聞紙を四つ折りした寸法と略同様の寸法としていることにより、簡易且つ好適に古紙を収納しておくことが可能となる。
【００４６】
更に、前記運搬補助体２の一部を分離可能とし、当該運搬補助体２を用いて前記収納物を結束することができるため、ハサミなどの刃物を用いなくとも運搬補助体２を結束に利用することができる。
【００４７】
また、前記運搬補助体２を紐状部材にて構成していることにより、運搬補助体２を利用して収納物を結束し易い。
【００４８】
加えて、前記袋本体１が折り畳み可能であるため、不使用時には邪魔にならないように折り畳んで収納しておくことができる。
【００４９】
更に、前記袋本体１が紙製であるため、簡易且つ安価にて製作することが可能となる。
【００５０】
なお、本考案は、以上に詳述した実施形態に限られるものではない。
【００５１】
例えば、上記実施形態１においては、底部１３に空洞部１４を設けているが、有底としてもよい。また、底部１３の一部のみを空洞部１４とすることも考えられる。
【００５２】
更には、上記実施形態１においては、紐状部材にて支持部２２を構成しているが、当該支持部２２を面材などにて構成し強化することも考えられる。また、手提げ部２１と支持部２２と連結部２３を同様の紐状部材にて構成しているが、別途の部材にて構成してもよい。
【００５３】
また、図８乃至図１１の実施形態２に示すように、紐状部材２Ａ、２Ｂを交差させた状態として収納物を結束してもよい。尚、上記実施形態１と同様の構成については、同じ符号を付している。具体的には、図９、図１１に示すように、上記実施形態１とは異なり、交差させて結束できるように、袋本体１の上端から突出する長さが長寸の紐状部材同士を対向させるように構成する。実施形態２においては、運搬補助体２の一部、つまり、第一の紐状部材２Ａと第二の紐状部材２Ｂを交差させた状態で結束できるように、運搬補助体２の分離位置や接合部２５を構成する。そして、読み終わった新聞紙が溜まり廃品回収などに出す際には、図９に示すように、運搬補助体２の一部、つまり、第一の紐状部材２Ａと第二の紐状部材２Ｂの接合部２５を分離し図１０に示すように、対角線上の紐状部材２Ａ、２Ｂ同士を交差する状態で結び、収納物である新聞紙を結束する。実施形態２においては、図１０に示すように、袋本体１の上端から突出する長さが短寸の紐状部材の近傍、つまり、収納物の隅部近傍位置に結び目がくるように結束する。
【００５４】
更に、上記実施形態１や実施形態２においては、紐状部材２Ａ，２Ｂの接合部２５を剥がして運搬補助体２の一部を分離した状態において、紐状部材２Ａ，２Ｂが袋本体１の上端から突出する長さを異ならせているが、全ての紐状部材２Ａ，２Ｂの袋本体１の上端から突出する長さを同じ長さとしてもよい。
【００５５】
また、上記実施形態１に示すように、対向する紐状部材２Ａ，２Ｂ同士を平行になる状態で結束する結束方法と、実施形態２に示すように、紐状部材２Ａ，２Ｂを交差させた状態で結束する結束方法のいずれの結束方法もできるように構成してもよい。具体的には、紐状部材２Ａ，２Ｂの接合部２５を剥がして運搬補助体２の一部を分離した状態において、袋本体１の上端から突出する紐状部材２Ａ，２Ｂの長さを、いずれの結束方法もできる長さとなるように、紐状部材２Ａ，２Ｂの長さや前記運搬補助体２の分離位置や接合部２５を構成することが考えられる。
【００５６】
その他、各部の具体的構成についても上記実施形態に限られるものではなく、本考案の趣旨を逸脱しない範囲で種々変形が可能である。
【符号の説明】
【００５７】
Ｂ・・・収納袋
Ｓ・・・収納空間
１・・・袋本体
１３・・・底部
１４・・・空洞部
２・・・運搬補助体
２１・・・手提げ部
２２・・・支持部
【図１】
0003162146.tif 000003
【図２】
0003162146.tif 000004
【図３】
0003162146.tif 000005
【図４】
0003162146.tif 000006
【図５】
0003162146.tif 000007
【図６】
0003162146.tif 000008
【図７】
0003162146.tif 000009
【図８】
0003162146.tif 000010
【図９】
0003162146.tif 000011
【図１０】
0003162146.tif 000012
【図１１】
0003162146.tif 000013